(57)【要約】【課題】リアホルダを用いて相手側ハウジングと錠止し、ハウジング同士をリアホルダを含めて確実に結合する。【解決手段】リアホルダ１のリアホルダ本体２には、ハウジング１１の端子収納孔１２内にそれぞれ挿入され、接続端子１７を係止するための可撓性を有する複数本の係止ランス３が設けられている。リアホルダ本体２の中央上部には弾発性を有する錠止アーム４が設けられ、この錠止アーム４には爪部５が設けられている。ハウジング１１を相手側ハウジング２１に嵌合する場合に、ハウジング１１は相手側ハウジング２１内に入り込み、接続端子１７、２２同士が嵌合し電気的な接続がなされる。リアホルダ１の錠止アーム４に設けられた爪部５は相手側ハウジング２１の錠止部２３に錠止する。【選択図】        図１０
2004220824.tif 000002
【特許請求の範囲】
【請求項１】
第１、第２のハウジング同士を嵌合して、それぞれに内蔵した接続端子同士を結合する電気コネクタにおいて、前記第１のハウジングの後部には前記接続端子の後方への抜け止めを行うためのリアホルダを取り付け、該リアホルダには前記第２のハウジング側の錠止部と錠止するための錠止アームの自由端を前方に向けて突出し、前記自由端に爪部を付設したことを特徴とする電気コネクタ。
【請求項２】
前記錠止アームは前記第２のハウジングの本体に対しその自由端を錠止するようにした請求項１に記載の電気コネクタ。
【請求項３】
前記リアホルダには前記第１のハウジング内において前記接続端子を係止するための係止ランスを設けた請求項１に記載の電気コネクタ。
【請求項４】
前記リアホルダは前記第１のハウジングの一部に錠止するようにした請求項１に係る電気コネクタ。
【請求項５】
前記第１のハウジングには前記錠止アームの浮き上がりを防止する部材を設けた請求項１に記載の電気コネクタ。
【発明の詳細な説明】
【０００１】
【発明の属する技術分野】
本発明は、接続端子をそれぞれ収容した一対のハウジングを結合及び解除して使用する電気コネクタに関するものである。
【０００２】
【従来の技術】
ハウジングに接続端子を収容し、この接続端子をハウジングに係止する場合には、ハウジング内に設けた係止ランスにより行う場合が一般的である。更に、この係止を確実にするために、ハウジングの後部にリアホルダを挿入し、このリアホルダにより接続端子の後抜けを防止することも多い。
【０００３】
【発明が解決しようとする課題】
ハウジング同士の嵌合後のこれらの相互の錠止は、ハウジング同士に設けた錠止機構により行っている。しかし、通常ではリアホルダはこの錠止について何ら関与することがないので、リアホルダについての固定は必ずしも十分ではない。
【０００４】
また、ハウジングに相手側ハウジングと錠止するための錠止アームを設けると、ハウジングが嵩ばり、その高さが大きくなるなどの問題点もある。
【０００５】
本発明の目的は、上述の課題を解決し、リアホルダによって相手側ハウジングと錠止することによりハウジング同士を固定し、更にはリアホルダをハウジングに確実に固定するようにした電気コネクタを提供することにある。
【０００６】
【課題を解決するための手段】
上記の目的を達成するための本発明に係る電気コネクタは、第１、第２のハウジング同士を嵌合して、それぞれに内蔵した接続端子同士を結合する電気コネクタにおいて、前記第１のハウジングの後部には前記接続端子の後方への抜け止めを行うためのリアホルダを取り付け、該リアホルダには前記第２のハウジング側の錠止部と錠止するための錠止アームの自由端を前方に向けて突出し、前記自由端に爪部を付設したことを特徴とする。
【０００７】
【発明の実施の形態】
本発明を図示の実施の形態に基づいて詳細に説明する。
図１はリアホルダの平面図、図２は正面図、図３は拡大側面図を示し、リアホルダ１のリアホルダ本体２の先端には、ハウジングの端子収納孔内にそれぞれ挿入され、接続端子を係止するための可撓性を有する複数本の係止ランス３が設けられている。また、リアホルダ本体２の中央上部には、弾発性を有する２本の錠止アーム４が前方に向けて突設され、その自由端の上部にはリアホルダ１を相手側ハウジングに対し錠止するための爪部５、側方には噛合部６が設けられ、錠止アーム４の基部上側には錠止解除部７が設けられている。また、リアホルダ本体２の両側にはハウジングと錠止するための錠止爪８が形成され、上下部には仮係止のための計４個の仮掛止爪９が形成されている。
【０００８】
図４はこのリアホルダ１をハウジング１１に仮係止した状態の斜視図、図５はその平面図、図６は拡大断面図であり、リアホルダ１はハウジング１１内に後方から中間位置まで嵌挿されている。ハウジング１１内には上下２段、各段２０列に端子収容孔１２が設けられ、ハウジング１１の上面にはリアホルダ１の錠止アーム４の噛合部６と噛み合い錠止アーム４の浮き上がりを規制する噛合部１３が設けられている。ハウジング１１の両側部にはリアホルダ１の錠止爪８に対応して長孔１４が設けられ、上部には仮係止爪９が対応した長孔１５が設けられている。
【０００９】
リアホルダ１のハウジング１１の中間部まで押し込んだこの仮係止状態において、リアホルダ１の掛止爪９はハウジング１１の長孔１５に係止して姿勢は安定しており、リアホルダ１の各係止ランス３はハウジング１１の各端子収容孔１２内に挿入されている。ここで、図６に示すように端子収容孔１２内にリアホルダ１を介して、後方から電線１６を接続した例えば雌型の接続端子１７を挿入すると、接続端子１７の前端に位置し内部に可動接触片を有する接続部１７ａが、係止ランス３を押し上げて内部に挿入される。
【００１０】
図７は本係止状態の斜視図、図８は平面図、図９は拡大断面図である。仮係止状態において、全ての接続端子１７を端子収容孔１２に挿入した後に、リアホルダ１を先の仮係止状態からハウジング１１に対して更に押し込んで本係止状態とすると、接続部１７ａの後端縁は係止ランス３に押されて端子収容孔１２内の前端まで押し込まれ、前壁による前抜けが防止される。また、錠止アーム４の先端の噛合部６は、ハウジング１１に設けた噛合部１３と噛合してその浮き上りが防止される。
【００１１】
図１０はハウジング１１が相手側のハウジング２１と嵌合した状態の断面図であり、ハウジング２１にはハウジング１１の雌型接続端子１７に接続する雄型接続端子２２が装着され、リアホルダ１の錠止アーム４の爪部５と錠止するための錠止部２３が設けられている。
【００１２】
ハウジング１１は相手側ハウジング２１内に入り込み、接続端子１７、２２同士が嵌合し電気的な接続がなされる。錠止アーム４に設けられた爪部５は、一旦撓んでからハウジング２１の錠止部２３の下を潜り抜けた後に復元して、錠止部２３に係合し錠止がなされる。この錠止により、ハウジング１１、２１は不時に解離することがなくなる。
【００１３】
この錠止を解除する場合には、錠止アーム４に設けられた錠止解除部７を指で下方に押すことにより、錠止アーム４は沈み込み、爪部５と錠止部２３との錠止が外れる。そこで、ハウジング１１をハウジング２１から引き離せばよい。
【００１４】
なお、上述の実施の形態においては、一方のハウジング１１に設けたリアホルダ１により相手側ハウジング２１に対し錠止しているが、相手側のハウジング２１に取り付けたリアホルダに対して係合することにより、錠止をするようにすることも可能である。
【００１５】
このように、本発明ではハウジング１１に取り付けたリアホルダ１が、リアホルダ１に設けた錠止アーム４を介して相手側ハウジング２１と錠止するので、ハウジング２１に錠止アームを直接に設けた場合よりもハウジングの嵩を小さくできる。また、ハウジング１１に収納した接続端子１７のがたを少なくすることができる。更には、リアホルダ１がハウジング１１に完全に装着されていないと、相手側ハウジング２１との錠止ができないために、リアホルダ１のハウジング１１に対する挿入不完全状態を検知することができる。
【００１６】
【発明の効果】
以上説明したように本発明に係る電気コネクタにおいては、第１のハウジングに取り付けたリアホルダの錠止アームが相手側の第２のハウジング側と錠止するので、この錠止機構を解除しない限り、ハウジング同士が解離しないことは勿論のこと、不時にリアホルダが第１のハウジングから外れる虞れもなく、錠止がより確実となる。
【図面の簡単な説明】
【図１】リアホルダの平面図である。
【図２】正面図である。
【図３】拡大側面図である。
【図４】リアホルダをハウジングに仮係止した状態の斜視図である。
【図５】平面図である。
【図６】拡大断面図である。
【図７】リアホルダをハウジングに本係止した状態の斜視図である。
【図８】平面図である。
【図９】拡大断面図である。
【図１０】相手側ハウジングとの嵌合状態の断面図である。
【符号の説明】
１  リアホルダ
２  リアホルダ本体
３  係止ランス
４  錠止アーム
５  爪部
７  掛止解除部
１１  ハウジング
１２  端子収容孔
１５、２２  接続端子
２１  相手側ハウジング
２３  係合部
【図１】
2004220824.tif 000003
【図２】
2004220824.tif 000004
【図３】
2004220824.tif 000005
【図４】
2004220824.tif 000006
【図５】
2004220824.tif 000007
【図６】
2004220824.tif 000008
【図７】
2004220824.tif 000009
【図８】
2004220824.tif 000010
【図９】
2004220824.tif 000011
【図１０】
2004220824.tif 000012